(57)【要約】      （修正有）【課題】効果的な冷却をするための最適な設計を行うことが可能な燃焼器冷却構造を提供する。【解決手段】空気冷却式の尾筒５における尾筒シール１５と第一段静翼シュラウド１６との冷却構造において、尾筒５の壁部には冷却流溝１を備え、この中に冷却空気を流している。また、尾筒５の後端は第一段静翼シュラウド１６まで延びており、この後端から冷却空気を放出することで、第一段静翼シュラウド１６を冷却する。また、尾筒シール１５は尾筒５の外側に離れて配置されている。したがって、尾筒５が高温になっても尾筒シール１５とは離れているため、尾筒シール１５の過熱を防止することができる。【選択図】図１１
2006275054.tif 000002
【特許請求の範囲】
【請求項１】
複数のパネルを溶接接合して構成された燃焼器尾筒の溶接部を溝加工し、当該溝に蓋を被せることにより、冷却媒体の流れる冷却通路を形成したことを特徴とする燃焼器冷却構造。
【請求項２】
前記蓋にインピンジ孔を設けたことを特徴とする請求項１に記載の燃焼器冷却構造。
【請求項３】
燃焼器尾筒の壁部において、燃焼ガスを排出する側である後端まで貫通する冷却流溝を備え、当該冷却流溝から排出される冷却媒体を前記燃焼器尾筒の後端に設けた尾筒シールに吹き付けて、当該尾筒シールを冷却することを特徴とする燃焼器冷却構造。
【請求項４】
燃焼器尾筒の燃焼ガスを排出する側である後端に設けた尾筒シールを、前記尾筒の外周において、前記尾筒の壁部から離れた位置に配置したことを特徴とする燃焼器冷却構造。
【請求項５】
前記燃焼器尾筒の壁部において、前記後端に向かって貫通させた複数の冷却流溝を備えることを特徴とする請求項４に記載の燃焼器冷却構造。
【請求項６】
前記冷却流溝が前記燃焼器尾筒の後端まで貫通した形状であり、前記燃焼器尾筒の壁部に備えられた前記冷却流溝から排出される前記冷却媒体が、前記燃焼器尾筒の後端近傍に設けられた第一段静翼シュラウドに吹き付けられることを特徴とする請求項４または請求項５に記載の燃焼器冷却構造。
【請求項７】
前記冷却流溝から排出される前記冷却媒体を回収する回収ジャケットを備えたことを特徴とする請求項４または請求項５に記載の燃焼器冷却構造。
【請求項８】
前記冷却流溝から排出される前記冷却媒体を流入させて一時的に集合させるヘッダー溝を備え、前記冷却媒体が前記ヘッダー溝を介して前記回収ジャケットで回収されることを特徴とする請求項７に記載の燃焼器冷却構造。
【請求項９】
前記燃焼器尾筒の後端近傍に設けられた第一静翼シュラウドに吹き付けられる第一冷却媒体を流す第一冷却流溝と、
回収する必要がある第二冷却媒体を流す第二冷却流溝と、を前記冷却流溝として備えるとともに、
前記第二冷却流溝から排出される前記第二冷却流溝を回収する回収ジャケットを備えることを特徴とする請求項５に記載の燃焼器冷却構造。
【発明の詳細な説明】
【技術分野】
【０００１】
本発明は、ガスタービン燃焼器の冷却構造に関するものである。
【背景技術】
【０００２】
従来より、ガスタービンの燃焼器においては、その壁面が高温の燃焼ガスに曝されるとともにフレームからの輻射熱を受けるため、そのままでは非常に高温となるので、これを冷却するために壁部を二重壁構造とし、間に冷却媒体を通す構成が一般に採用されている。
【０００３】
具体的には、特許文献１に記載されている如く、壁内部に設けられた燃焼ガスの流れ方向と同方向の複数の空気流溝と、前記壁の内・外両面に設けられ、前記空気流溝に連通する空気流溝の断面積より面積の大きい空気穴とを有してなる構成のものが開示されている（特許文献１参照）。
【０００４】
また、特許文献２に記載されている如く、内部に隔壁で区画された多数の流路を有する二重構造となった燃焼器の壁面に、該流路と導通する冷却空気の入口孔、出口孔を設けると共に、燃焼器外壁面に任意の間隔をもって、第三の冷却供給ヘッダーと回収ヘッダーを備え、該両ヘッダー内にあって、流路と導通するそれぞれ冷却媒体入口孔、出口孔を設け、かつ、冷却空気と第三の冷却媒体との流路を異にする構成としたものが開示されている（特許文献２参照）。
【０００５】
これらは何れも本出願人により出願されたものである。以上のような構成とすることにより、燃焼器壁部の冷却を効率的に行うことができるとともに、ＮＯｘの発生を抑制することができる等としている。
【特許文献１】特開平５−４４９２７号公報
【特許文献２】特開平９−３０３７７７号公報
【発明の開示】
【発明が解決しようとする課題】
【０００６】
しかしながら、上述した従来の構成を用いるにあたっては、溶接部やシール部等、燃焼器の構造に起因する冷却構造の様々な制約が生じており、最適な設計が行い難い状況となっている。本発明は、このような問題に鑑み、効果的な冷却をするための最適な設計を行うことが可能な燃焼器冷却構造を提供することを目的とする。
【課題を解決するための手段】
【０００７】
上記目的を達成するために、複数のパネルを溶接接合して構成された燃焼器尾筒の溶接部を溝加工し、当該溝に蓋を被せることにより、冷却媒体の流れる冷却通路を形成したことを特徴とする。また、前記蓋にインピンジ孔を設けたことを特徴とする。
【０００８】
また、上記目的を達成するために、燃焼器尾筒の壁部において、燃焼ガスを排出する側である後端まで貫通する冷却流溝を備え、当該冷却流溝からの冷却媒体を前記燃焼器尾筒の後端に設けた尾筒シールに吹き付けて、当該尾筒シールを冷却することを特徴とする。
【０００９】
ここで冷却流溝とは、燃焼器壁部に設けた冷却媒体の流路であり、従来よりこのような冷却流溝は、二重壁構造である燃焼器壁部の内側板或いは外側板の接合面をカッターで加工することにより形成されている。また、冷却媒体として例えば空気や蒸気が用いられる。ただし、このように吹き付けて用いる場合の冷却媒体としては、空気の方が望ましい。
【００１０】
また、上記目的を達成するために、燃焼器尾筒の燃焼ガスを排出する側である後端に設けた尾筒シールを、尾筒の外周において、尾筒の壁部から離れた位置に配置し、燃焼器尾筒の壁部において、後端まで貫通させた複数の冷却流溝を備え、冷却流溝を流れる冷却媒体が、燃焼器尾筒の後端近傍に設けられた第一段静翼シュラウドに吹き付けられることを特徴とする。
【００１１】
また、上記目的を達成するために、冷却流溝から排出される冷却媒体を回収する回収ジャケットと、冷却流溝から排出される冷却媒体を流入させて一時的に集合させるヘッダー溝とを備え、冷却媒体がヘッダー溝を介して回収ジャケットで回収されることを特徴とする。この場合は、冷却媒体として蒸気を用いてもよい。
【００１２】
また、上記目的を達成するために、燃焼器尾筒の後端まで貫通した形状であり、第一静翼シュラウドに吹き付けられる第一冷却媒体を流す第一冷却流溝と、回収する必要のある第二冷却媒体を流す第二冷却流溝と、前記第二冷却流溝から排出される前記第二冷却媒体を回収する回収ジャケットとを備えることを特徴とする。
【発明の効果】
【００１３】
本発明によると、効果的な冷却をするための最適な設計を行うことが可能な燃焼器冷却構造を提供することができる。
【発明を実施するための最良の形態】
【００１４】
以下、本発明の実施の形態について、図面を参照しながら説明する。図１は、本発明の第１の実施形態に係る燃焼器冷却構造を示す図であり、燃焼器壁部に設けた冷却媒体の流路である冷却流溝の配置の一例を模式的に示す図である。従来よりこのような冷却流溝は、二重壁構造である燃焼器壁部の内側板或いは外側板の接合面をカッターで加工することにより形成されていた。
【００１５】
従って、途中で配列ピッチや溝巾を容易に変更することができず、また配列ピッチを途中で変更する場合は基本ピッチの倍数でしか設定できない等の制約があり、効果的な冷却のための最適な構造とすることは困難であった。そこで、同図に示すように、例えば燃焼器の軸方向（紙面の左右方向）に延びる冷却流溝１に対して、その途中に各冷却流溝１間に渡って燃焼器の周方向（紙面の上下方向）に延びるヘッダー溝２を配置した構成としている。
【００１６】
これにより、ヘッダー溝２の前後で冷却流溝１の配列ピッチや溝巾等を容易に変更することができるので、燃焼器の構造に合わせて溝の引き回しを行うことができ、効果的な冷却のための最適な構造とすることが可能となる。なお、同図の各冷却流溝１に付された○印は燃焼器の外側に開口する入口孔の配置を例示しており、×印は燃焼器の内側に開口する出口孔の配置を例示している。
【００１７】
図２は、本発明の第２の実施形態に係る燃焼器冷却構造を示す図であり、燃焼振動低減のため燃焼器周囲に設けられる音響ライナーの付近を模式的に示す図である。まず、同図（ａ），（ｂ）は従来の音響ライナー部構造を示す平面図及び縦断面図であり、空気冷却の場合を描いている。但し、平面図は音響ライナー上部を仮に開放した状態で示してある。これらに示すように、音響ライナー３内の燃焼器壁部４には音響孔４ａが開けられているため、冷却流溝１はそれらの間に配設しなければならず、全体の配列ピッチが粗くなってしまう。
【００１８】
なお、１ａは燃焼器の外側に開口する入口孔であり、１ｂは燃焼器の内側に開口する出口孔であって、矢印は冷却空気が出入り或いは通過する様子を示している（以下同様）。但し蒸気冷却の場合は、これら入口孔，出口孔の代わりに、供給ヘッダー及び回収ヘッダーが設けられる。また、音響ライナー３の天面に開けられた３ａは、音響ライナー３内を冷却しつつキャビティー部に入り込んだ燃焼ガスをパージするための空気を導入するインピンジ孔である。
【００１９】
さて、同図（ｃ），（ｄ）は本実施形態における音響ライナー部構造の一例を示す平面図及び縦断面図である。従来のように冷却流溝１全体の配列ピッチが粗くなってしまうことを防止するため、ここでは冷却流溝１が音響ライナー３から外側へ延びた位置に、上記第１の実施形態で説明したヘッダー溝２を設け、冷却流溝１の配列ピッチや溝巾等を変化させている。これにより、効果的な冷却のための最適な構造とすることが可能となる。なお、ここでも蒸気冷却の構成を用いても良い。
【００２０】
さらに、同図（ｅ），（ｆ）は本実施形態における音響ライナー部構造の他の例を示す平面図及び縦断面図である。ここでは音響ライナー３のインピンジ孔を無しとし、音響ライナー３外部で燃焼器の外側に開口する入口孔１ａと、音響ライナー３内部でこれも燃焼器の外側に開口する出口孔１ｂとを設けた構成としている。
【００２１】
この構成において、燃焼器壁部４を冷却した後の冷却空気を音響ライナー３のキャビティー部３ｂに放出し、その後、音響孔４ａを通して燃焼ガス中に放出する。これにより、音響ライナー３を冷却しつつキャビティー部３ｂに入り込んだ燃焼ガスをパージすることができるとともに、冷却能力を確保しながら冷却空気量を減少させることが可能となる。
【００２２】
なお、上記（ｃ），（ｄ）で示した例で蒸気冷却の場合と、本例とを組み合わせた構成としても良い。また、冷却媒体としては、上記各実施形態で示した空気や蒸気に限定されるものではなく、その他の流体であっても良い。これは、以下の実施形態についても同様である。
【００２３】
ところで図３は、従来からの燃焼器の尾筒を模式的に示す斜視図である。同図（ａ）は空気冷却式の尾筒における溶接接合状態を示しており、同図（ｂ）は蒸気冷却式の尾筒における溶接接合状態を示している。空気冷却式の尾筒は、同図（ａ）に示すように、本体５上に溶接部ａが軸方向に設けられており、後端部には溶接部ｂが周方向に設けられている。さらに、バイパスエルボ５ａ周りには溶接部ｃが設けられている。
【００２４】
また、蒸気冷却式の尾筒は、同図（ｂ）に示すように、本体６上に溶接部ｄが軸方向にのみ設けられている。このように、燃焼器の尾筒は、現状では２〜４枚のパネルを溶接により接合し、製作しているが、これらの溶接部には冷却媒体を通すことができず、無冷却となっていた。このため、溶接部の寿命は他の部分より短くなっていた。なお、各溶接部は図中に波線で示している。
【００２５】
そこで、例えば溶接部に溝加工を施し、蓋を取り付けることにより、冷却通路を形成することが挙げられる。これにより、溶接部の強制冷却が可能となり、メタル温度を低減し、信頼性を向上させることが可能となる。以下、本発明の第３の実施形態に係る燃焼器冷却構造として、このような溶接部における冷却構造の具体例について説明する。
【００２６】
図４は、本発明の第３の実施形態に係る、空気冷却式の尾筒における軸方向の溶接部の冷却構造を模式的に示す図である。同図（ａ）は斜視図、同図（ｂ）は横断面図、同図（ｃ）は縦断面図となっている。これらの図に示すように、溶接部ａの本体５外側部分を溝加工し、その溝に蓋７を被せることで、冷却流溝１に沿った冷却通路８を形成している。そして、本体５の外側に開口する入口孔７ａと、内側に開口する出口孔７ｂとを設けた構成としている。
【００２７】
また、同図（ｄ），（ｅ）はそれぞれ冷却空気の流れ方が異なる構成を示す縦断面図である。同図（ｄ）では、１本の溶接部ａに対して入口孔７ａは１つとして、ここから入った冷却空気を上流及び下流に分配し、各端部から放出する構成としている。また同図（ｅ）では、１本の溶接部ａに対して入口孔７ａは１つとして一端付近に設け、ここから入った冷却空気を他端部から放出する構成としている。
【００２８】
図５は、本実施形態に係る、空気冷却式の尾筒における周方向の溶接部の冷却構造を模式的に示す斜視図である。同図に示すように、溶接部ｂの本体５外側部分を溝加工し、その溝に蓋７を被せることで、各冷却流溝１間に渡ったヘッダー溝８ａを形成している。そして、そのヘッダー溝８ａに冷却流溝１からの冷却空気が流れ込むようにすることで、溶接部ｂを冷却する構成としている。
【００２９】
図６は、本実施形態に係る、空気冷却式の尾筒におけるバイパスエルボ周りの冷却構造を模式的に示す縦断面図である。従来は同図（ａ）に示すように、本体５には冷却流溝１が設けられ、冷却構造が形成されていたが、溶接部ｃを隔てたバイパスエルボ５ａまでは冷却されていなかった（図中１ｂは出口孔であり、入口孔は不図示）。
【００３０】
そこで、本実施形態では、同図（ｂ）に示すように、バイパスエルボ５ａダクト部に冷却流溝１を形成し、それぞれ入口孔１ａ及び出口孔１ｂを設けた構成としている。また、加えて同図（ｃ）に示すように、溶接部ｃの本体５外側部分を溝加工し、その溝に蓋７を被せることで、各冷却流溝１間に渡ったヘッダー溝８ａを形成している。そして、そのヘッダー溝８ａに冷却流溝１からの冷却空気が流れ込むようにすることで、溶接部ｃを冷却する構成としている。
【００３１】
図７は、本実施形態に係る、蒸気冷却式の尾筒における軸方向の溶接部の冷却構造を模式的に示す斜視図である。ここでは同図に示すように、溶接部ｄの本体６外側部分を溝加工し、その溝に蓋７を被せることで、冷却通路８を形成している。そして、尾筒の周方向に設けた蒸気ジャケット９に覆われた部分のみ、蓋７に開口部７ｃを設けることで、ここから冷却通路８に対して蒸気を供給し、或いは回収する構成としている。なお、同図では開口部７ｃ付近の蒸気ジャケット９を仮に切り欠いた状態で描いてある。
【００３２】
図８は、本実施形態における蓋にインピンジ孔を設けた例を示す斜視図である。溶接部は材料強度が低下するので、このようなインピンジ孔を設けて冷却するようにしても良い。同図（ａ）は空気冷却の場合である。ここでは蓋７に開けられたインピンジ孔７ｄから、車室内の冷却空気を直接取り入れる構成としている。同図（ｂ）は蒸気冷却の場合である。ここでは蓋７を覆うように蒸気ジャケット９を設け、ここからインピンジ孔７ｄを通して冷却通路８に蒸気を取り入れる構成としている。
【００３３】
図９は、本実施形態における溶接部を溝加工しない例を示す図である。まず、同図（ａ）は斜視図である。これまで述べてきた冷却流溝１と溶接部の冷却通路との接続が必要ない場合は、溶接部に溝加工は不用である。従って、この図に示すように、尾筒の本体１０に設けられたこのような溶接部ｅには溝加工を施さない状態で、これを覆うように冷媒ジャケット１１を設けている。そして、冷媒ジャケット１１内に冷却媒体を通すことで、溶接部ｅを冷却する構成としている。
【００３４】
また、同図（ｂ），（ｃ）はそれぞれ冷却媒体の流れ方が異なる構成を示す縦断面図である。同図（ｂ）では、冷却媒体（ここでは主に冷却空気）が冷媒ジャケット１１に開けられた入口孔１１ａから入って、溶接部ｅに開けられた出口孔１１ｂから出て行く構成としている。また同図（ｃ）では、入口孔，出口孔の類は設けずに、冷媒ジャケット１１の一端から他端までを冷却媒体が通過する構成としている。
【００３５】
図１０は、本発明の第４の実施形態に係る燃焼器冷却構造として、尾筒外側の冷却構造を模式的に示す図である。まず、同図（ａ）は従来の構造を示す正面図、同図（ｂ）は側面横断面図である。同図（ａ）に示すように、図示しない圧縮機からの吐出空気がディフューザ１３を出て吹き上げられ、矢印で示すように尾筒１２の下部に吹き付けられて、尾筒１２の表面を冷却するといった構成が従来より採られている。
【００３６】
ところが、従来の構成では、同図（ｂ）に示すように、尾筒１２の下部に吹き付けられた吐出空気は側部で剥離を起こし、上部（車室側）は表面での空気流速が遅くなる。このため、尾筒１２から吐出空気への熱伝達率が低くなり、即ち尾筒１２に対する冷却能力が低くなるという問題があった。そこで、本実施形態では、下記のようにカバーを設けた構成としている。
【００３７】
さて、同図（ｃ），（ｄ）は本実施形態における構造を示す正面図及び側面横断面図である。ここでは尾筒１２の車室側に、その表面に対して隙間を有する状態でカバー１４を設け、圧縮機からの吐出空気を導く構成としている。これにより、吐出空気は剥離を起こすことなく上端まで導かれるので、表面での空気流速が保たれ、冷却能力が改善される。
【００３８】
なお、カバー１４は尾筒１２から支持棒等で支持するか、或いは車室の天井等から吊り下げるといった方法で配置される。またカバー１４には、尾筒１２のバイパスエルボ１２ａを通すための孔１４ａが開けられている。以上のようにして、燃焼器圧損や冷却空気量を増加させることなく、尾筒の冷却能力を向上させることができる。
【００３９】
図１１は、本発明の第５の実施形態に係る燃焼器冷却構造として、空気冷却式の尾筒における尾筒シールの冷却構造を模式的に示す縦断面図である。まず、同図（ａ）は従来の構造を示している。同図に示すように、従来より尾筒５の鍔状をした出口部５ｂには、断面がフック形状の尾筒シール１５が全周に渡って設けられており、これにより尾筒５と第一段静翼シュラウド１６とが接続されつつシールされている。
【００４０】
ところが、従来は冷却流溝１からの冷却空気は、尾筒５の出口部５ｂ付近の出口孔１ｂより内側に放出するのみであったので、尾筒シール１５が十分に冷却されないという不具合が生じていた。そこで、本実施形態では、下記のように尾筒シールの冷却或いはオフセットを行い、尾筒シールの加熱を防止する構成としている。
【００４１】
さて、同図（ｂ）は本実施形態に係る、空気冷却式の尾筒における尾筒シールの冷却構造の一例を示す図である。ここでは冷却流溝１が尾筒５の後端まで貫通しており、ここから冷却空気を尾筒シール１５に吹き付ける構成としている。これにより尾筒シール１５を冷却している。
【００４２】
また、同図（ｃ）は本実施形態に係る、空気冷却式の尾筒における尾筒シールの冷却構造の他の例を示す図である。ここでは尾筒５の後端が第一段静翼シュラウド１６まで延びており、尾筒シール１５が尾筒５の外側に離れて配置されている。即ち、尾筒シール１５が燃焼ガス通過部からオフセットされた構成となっている。これにより尾筒シール１５が過熱することを防止している。なお、冷却流溝１は尾筒５の後端まで貫通しており、ここから冷却空気を放出する。
【００４３】
図１２は、本実施形態に係る、蒸気冷却式の尾筒における尾筒シールの冷却構造の一例を模式的に示す図である。同図（ａ）は平面断面図、同図（ｂ）は縦断面図を示している。ここではまず、前記図１１（ｃ）の構成と同様にして、尾筒６の後端が第一段静翼シュラウド１６まで延びており、尾筒シール１５が尾筒６の外側に離れて配置されている。即ち、尾筒シール１５が燃焼ガス通過部からオフセットされた構成としている。
【００４４】
さらに、配列された冷却流溝１には、一つ置きに尾筒６の外側に開口する出口孔１ｂが設けられている。加えて、尾筒６の後端部には各冷却流溝１間に渡ってヘッダー溝２が設けられている。そして、各冷却流溝１を通る冷却蒸気は、直接或いはヘッダー溝２で迂回した後に出口孔１ｂから放出される。放出された冷却蒸気は、出口部６ｂの前部に設けられた回収ジャケット１７に回収される。
【００４５】
また、同図（ｃ），（ｄ）は蒸気冷却式の尾筒における尾筒シールの冷却構造に空気冷却を加えた例を示す図であり、それぞれ平面断面図，縦断面図である。ここでは上記と同様にして、尾筒６の後端が第一段静翼シュラウド１６まで延びており、尾筒シール１５が尾筒６の外側に離れて配置されている。そして、蒸気流溝２０と空気流溝２１とが交互に配列されている。
【００４６】
まず、蒸気流溝２０端部には、尾筒６の外側に開口する出口孔２０ａが設けられている。そして、蒸気流溝２０を通る冷却蒸気は、直接に出口孔２０ａから放出される。放出された冷却蒸気は、出口部６ｂの前部に設けられた回収ジャケット１７に回収される。一方、空気流溝２１には、尾筒６の外側に開口する入口孔２１ａが設けられており、ここから冷却空気が導入される。そして、空気流溝２１が尾筒６の後端まで貫通しており、ここから冷却空気を放出する。
【図面の簡単な説明】
【００４７】
【図１】本発明の第１の実施形態に係る燃焼器冷却構造を示す図。
【図２】本発明の第２の実施形態に係る燃焼器冷却構造を示す図。
【図３】従来からの燃焼器の尾筒を模式的に示す斜視図。
【図４】本発明の第３の実施形態に係る、空気冷却式の尾筒における軸方向の溶接部の冷却構造を模式的に示す図。
【図５】本実施形態に係る、空気冷却式の尾筒における周方向の溶接部の冷却構造を模式的に示す斜視図。
【図６】本実施形態に係る、空気冷却式の尾筒におけるバイパスエルボ周りの冷却構造を模式的に示す縦断面図。
【図７】本実施形態に係る、蒸気冷却式の尾筒における軸方向の溶接部の冷却構造を模式的に示す斜視図。
【図８】本実施形態における蓋にインピンジ孔を設けた例を示す斜視図。
【図９】本実施形態における溶接部を溝加工しない例を示す図。
【図１０】本発明の第４の実施形態に係る燃焼器冷却構造として、尾筒外側の冷却構造を模式的に示す図。
【図１１】本発明の第５の実施形態に係る燃焼器冷却構造として、空気冷却式の尾筒における尾筒シールの冷却構造を模式的に示す縦断面図。
【図１２】本実施形態に係る、蒸気冷却式の尾筒における尾筒シールの冷却構造の一例を模式的に示す図。
【符号の説明】
【００４８】
１    冷却流溝
２    ヘッダー溝
３    音響ライナー
４    燃焼器壁部
５，６，１０    本体
７    蓋
８    冷却通路
９    蒸気ジャケット
１１    冷媒ジャケット
１２    尾筒
１３    ディフューザ
１４    カバー
１５    尾筒シール
１６    第一段静翼シュラウド
１７    回収ジャケット
２０    蒸気流溝
２１    空気流溝
【図１】
2006275054.tif 000003
【図２】
2006275054.tif 000004
【図３】
2006275054.tif 000005
【図４】
2006275054.tif 000006
【図５】
2006275054.tif 000007
【図６】
2006275054.tif 000008
【図７】
2006275054.tif 000009
【図８】
2006275054.tif 000010
【図９】
2006275054.tif 000011
【図１０】
2006275054.tif 000012
【図１１】
2006275054.tif 000013
【図１２】
2006275054.tif 000014